(57)【要約】【課題】インターネットで好きな時間に受動的に会話したい最適の相手をサーバーが選択して接続してくれる用にして誰でも簡単にチャットサービスを受けられる用にする。【解決手段】不特定多数の通話会話者と携帯電話含むインターネット通信網とサーバーコンピュータとシステム運営者とで構成されるチャットシステムに置いて、個人情報登録をシステム運営者が入手した情報に基づいてシステム運営者が作成し、当該個人情報を当該個人が承認する事で個人がわざわざ煩雑な個人情報を登録しなくてよいようにする。前記個人情報に基づいてサーバーコンピュータは最適なチャット相手同志を接続する。【選択図】        図１
2004318584.tif 000002
【特許請求の範囲】
【請求項１】
不特定多数の個人と当該個人が所有するネットワーク接続機器（携帯電話やパソコンなど）と、不特定多数の個人間で通信可能なネットワーク網と、登録された個人情報同志を特定のグループへ編集し、ネットワーク接続する機能のあるサーバーコンピュータと、当該サーバーコンピュータを運営管理する運営者とで構成されるネットワークシステムにおいて、前記ネットワーク通信網を経由して当該利用者の個人が事前に登録している登録者内の同志間の会話や情報交換を行なうサービスシステムであって、
前記グループ内の加入者同志の適正度を判断して接続することを特徴とする任意時間指定性の受動型チャットサービスシステム。
【請求項２】
前記システムは、登録された個人情報がネットワーク決済などのデータを基に前記システム運営者が作成し、前記個人が承認する工程を有することを特徴とする第１項記載の任意時間指定性の受動型チャットサービスシステム。
【請求項３】
前記個人情報は、当該個人により部分的に削除もしくは、変更されることを特徴とする第２項任意時間指定性の受動型チャットサービスシステム。
【請求項４】
前記個人情報の登録には、広域不特定多数の個人情報を参照し、その正誤性を確認することを特徴とする第３項記載の任意時間指定性の受動型チャットサービスシステム。
【請求項５】
前記個人は、利用したい時間帯域を設定もしくは変更可能とし、この時間帯域において、前記サーバーコンピュータが主体的に、最も適した会話者や情報交換者を設定することを特徴とする特徴とする第４項記載の任意時間指定性の受動型チャットサービスシステム。
【請求項６】
前記会話や情報交換の最適な相手を設定する際に、グループ内の接続回数もしくは接続時間、もしくは、情報交換データ数の多可を判定データとすることを特徴とする第５項記載の任意時間指定性の受動型チャットサービスシステム。
【請求項７】
前記会話や情報交換の内容は全てを所定の期間に渡って、記録保存し、当該個人が関与する部分だけを後日当該個人の希望によりテキストや音声や画像データや印刷プリント物として入手可能であることを特徴とする第６項記載の任意時間指定性の受動型チャットサービスシステム。
【請求項８】
前記システムは、会話や情報交換を行なうシステムであり、且つ、登録された個人以外はこの情報を利用することができないことを特徴とする第７項記載の任意時間指定性の受動型チャットサービスシステム。
【請求項９】
前記システムは、当該個人が相手と対話しながら、さらに、別の登録者と接続できることを特徴とする第８項記載の任意時間指定性の受動型チャットサービスシステム。
【発明の詳細な説明】
【０００１】
【発明の属する技術分野】
本発明は、一般公衆電話回線や携帯電話網や、インターネット網などの一般の情報通信網を経由して、種々の情報を加入者および情報提供者側がある特定のグループに対して提供するサービスに関するものである。その中でも、特に、前記情報通信網に加入している一般の不特定多数の個人に、当該個人の任意指定時間内において、当該個人が望むであろうと推察される情報を、情報提供者側が情報を能動的に提供するサービスである。さらに、詳しくは、不特定多数の個人のそれぞれの日常の生活や習慣などの当該個人に対するデータを蓄積し、この個人のひとりひとりに適応した情報を提供することで、さらには、消極的なタイプの個人でも簡単に参加できて、個人個人に満足感を与えることを目的とするチャットサービスシステムである。
【０００２】
【従来の技術】
インターネットにおいて、複数の個人が互いに情報交換を本人名もしくは、別名で行なう情報提供サービス形態が、インターネットによる掲示板的情報交換サービス提供である。この方法は、通称チャットと呼ばれ、インターネットに加入している個人が、個人の登録名を持ち、この登録名もしくは、本人名でインターネットの掲示板と呼ばれる情報提供の場（サイト）に、情報を提供したり、または、情報を提供されたりするものである。このような技術は、日本国公開特許公報Ｈ１０−２５７１８９やＨ１１−１８４７８６、２０００−１１５１５３などに紹介されている。しかしながら、ここでも、個人が積極的にアプローチしない限りにおいて、このグループの仲間には加われない。
【０００３】
このような情報提供と受信の場は、一般の携帯電話によるメールサイトやｉモードサイトにおいても可能である。
【０００４】
そもそも、このチャットというサービスは、加入者が暇な時間に時間潰しの意味で参加する場合が多く、且つ、個人が別名であるということから、容易に種々の自由気ままな意見を述べやすいものである。従って、より楽しく、自由に、意見や情報交換を行なって楽しめるものである。
【０００５】
しかし、個人が積極的にアプローチしない限りにおいて、インターネットや携帯電話などの便利な情報通信機器を用いても、気軽に会話を楽しもうと思っても、なかなか不特定多数の相手とは会話するのもおっくうなものであり、初心者や無精者においてはなかなか参加できないものである。
【０００６】
また、相手先を知り合いのみに限定して、情報交換を行なうのも、折角の不特定多数の見知らぬ相手と情報交換が可能であるというインターネットや携帯電話メールの機能を著しく損逸させるものである。
【０００７】
以上述べたように、不特定多数の中の不明な相手先とは、気軽にインターネットや携帯電話を用いてもなかなか無精者や初心者やおっくうがり屋にとっては、気軽に参加して、会話や情報交換を楽しむことが出来ないものである。
【０００８】
また、相手先を知り合いのみに限定して、情報交換を行なうのも、折角の不特定多数の見知らぬ相手と情報交換が可能であるというインターネットや携帯電話メールの機能を著しく損逸させるものである。
【０００９】
【発明が解決しようとする課題】
おっくうがり屋や無精者や初心者や消極的な性格を持つ個人で、且つ、会話や情報交換をしたい個人が、不特定多数の見知らぬ相手と、楽しく会話や情報交換を可能ならしめることである。
【００１０】
【課題を解決するための手段】
▲１▼自由に個人が会話したい時にのみ、会話や情報交換を行えるようにするために、会話や情報交換したい時間帯を前記個人が自由に選択して設定可能とする第一段階を設定する。つまり、ネットワーク（インターネット網）に接続し、そこ接続しているサーバーコンピュータに、気軽なチャットタイムを設定するものである。
【００１１】
▲２▼サーバーコンピュータは、この接続してきた個人の個人蓄積データ（趣味、趣向、年齢、性別、習慣、癖、その他知りえる全ての個人データ）を基礎データとして、この個人と合致するような会話相手を探索する。当然ながら、この探索対象は、今現在、前記個人と同じように、チャットタイムを登録して来た別の個人郡である。この段階で、会話や情報交換のメンバーは全て、気軽に会話や情報交換を楽しむ群類の個人となる。当然、所定時間が来れば、その所定時間が来た個人はこのメンバーから除外されていくものである。
【００１２】
また、個人登録をするのも面倒というおっくうがり屋や無精者に対しては、ネットワークを経由して買い物の決済などにより、得られた行動履歴より、サーバーコンピュータが自動的に個人蓄積データ（趣味、趣向、年齢、性別、習慣、癖、その他知りえる全ての個人データ）を基礎データとして個人情報の登録を行ない、これを当該個人に承認させるという手段を取ることで、何事にも消極的な個人も参加可能なシステムとなる。
【００１３】
▲３▼その時点で最も適した相手先が決定したら、サーバーコンピュータはその双方の回線を接続し、双方に電話コールもしくは、送信があることを伝える。この段階で、両方ともに、受動的に会話や情報交換が開始される。あくまでも、個人の双方、もしくは、どちらからか積極的に電話コールや情報発信をする訳ではなく、サーバーコンピュータが接続する。
【００１４】
【発明の実施の形態】
（具体的な例の説明−１）
本発明の一例に掛かる好適な事例を図１、図２を以って説明する。
【００１５】
図１、図２に示すように、加入者１は、インターネットや携帯電話回線網などの通信網２を経由して（Ｓｔｅｐ２１）、本発明のシステム１００を運営するサイト３（サービス窓口）に接続し、サービスを受ける時間帯Ｔを設定する（Ｓｔｅｐ２３）。途中で、この時間帯Ｔは変更（延長や解除など）可能であるものである。
【００１６】
加入者１は、図３のフローチャートに示すように、事前に本システム１００の運営者（法人）１０１に対して、住所、氏名、電話番号、メールアドレス、勤務先、その他の個人情報ＫＤを提供し登録しておく（Ｓｔｅｐ４１〜５３）。個人的におっくうがり屋で無精者である消極的な個人に対しては、通常の日常生活の中でのカード決済などのネットワークを利用した決済などからの行動履歴より推察される個人情報ＫＤをシステム運営者１０１が作成提示（Ｓｔｅｐ４３）し、これを前記性格の加入申し込みの個人１が承認する（Ｓｔｅｐ４４）形式を採用することで、個人情報ＫＤの登録が可能となる。さらに、加入者１が設定したい別名の人物像の個人情報ＫＢＤを可能ならば登録しておく（Ｓｔｅｐ４７、４８）。このような設定（Ｓｔｅｐ４７）は前記消極的な加入者個人１に対しては多いに有効である。加入者１は、本システム１００および運営者１０１と、契約書Ｃを取り交わし、約定しておく（Ｓｔｅｐ５１）。
【００１７】
次に、所定の時間帯域になった場合、サーバーコンピュータ４は最も適した加入者１同志を接続し、会話や情報交換を開始させる（Ｓｔｅｐ２８、２９）。電話であれば、その双方に電話コールを送り、接続させる。インターネットや携帯メールであれば、その双方にこのサーバーコンピュータ４の中で設定される新たなメールアドレスを与えて、情報交換が可能なように設定する。もしくは、登録されている別名の個人情報ＫＢＤに基づくメールアドレス（別名メールアドレス）を送信する。
【００１８】
条件に合致した対象者１′が見つからない場合は、見つかるまで、待機の状態である。さらに、ある特定の時間ΔＳが経過しても、対象者１′が見つからない場合は、加入者１に条件の変更やもしくは、条件の削除を連絡しても良い（Ｓｔｅｐ２６）。
【００１９】
このような環境の中で行なわれる会話や情報交換は、全て、サーバーコンピュータ４のデータ記録部５に保存記録される（Ｓｔｅｐ２９）。この保存記録部は、ハードディスクや光磁気メモリやＤＶＤメモリや磁気テープであっても良い。
【００２０】
加入者１同志の会話や情報交換が終了した段階で、このサービスは自動的に停止される。さらに、まだ、加入者１が指定時間帯域Ｔの中にあれば、サーバーコンピュータ４は、次の新しい最も適した会話や情報交換の対象者１′を探す（Ｓｔｅｐ２６）。
【００２１】
もし、加入者１および１′の両方が同じ指定時間帯域であれば、この双方に上記のような指定時間帯域Ｔの終わりが差し迫っていることの連絡が行なわれる（Ｓｔｅｐ３１、３２、３３）。
【００２２】
上記の会話や情報交換は、加入者個人１とこの相手の対象者１′ばかりでなく、加入者１および１′がグループ会話であり共通の情報交換の場を持っていれば、同様な参加の個人１″をさらに、対象者１″として増やすことも可能である。
【００２３】
ここでいう最適な相手とは、グループの中で最も会話や情報交換の回数の多い対象者か、会話や情報交換の時間やデータ量が多い対象者であるか、もしくは、個人情報より自動的に設定される趣味や趣向、年齢、習慣が似ている対象者である。また、対象者を、個人１が具体的に指定しても良く、指定した場合は、その指定が最優先される。例えば、具体的には個人氏名、アドレス、電話番号、趣味、性別、年齢などである。しかしながら、何事にもおっくうな無精者にとっては、この条件指定さえ、面倒である場合が多く、このような時にこそ、本発明のような自動的に、最適な相手を選定するシステムが有効に働く機会（Ｓｔｅｐ２６）である。
【００２４】
（具体的な例の説明−２）
本システムを利用することで、無精者で何事にも消極的な個人でも、ネットワークを利用した行動履歴を用いることで、あるいは、本発明の関係者が技術提示した特許出願２０００−３６５８３５を利用することで、おおよその個人情報自動的に作成することが可能となるために、いちいち趣味や趣向、性格、好きなもの、嫌いなものなどの詳細な個人情報をインプット登録する手間を省略することが可能となる（Ｓｔｅｐ４３，４７をＹｅｓ選択で通過）。自動個人情報登録が無いフローチャート図５では、個人１がおおよそすべての個人情報をインプットしたり、別名の個人情報ＫＢＤをインプットしなくてはならないので面倒である。特許出願２０００−３６５８３５の広域自動個人認識方法を用いた個人情報ＫＤＡＬＬの使用による個人情報ＫＤＡＬＬの登録のフローチャートを図４に示す。
【００２５】
図４に示すように、加入希望者個人１は、システム１００へ加入の登録を申請する。そうすると、個人１の個人情報ＫＤの登録インプットが必要となるが、無精者でおっくうがり屋で面倒くさがりな性格を持つ個人１は、もしくは、良好に個人情報ＫＤのインプット登録が不可能な老人や幼少な個人１は、Ｓｔｅｐ４３，４７を全てＹｅｓの選択をするという簡単な方法で、自動個人情報登録することで、システム運営者１０１やシステム１００が自動的に作成する個人情報ＫＤＡＬＬを承認する（Ｓｔｅｐ４４）だけか、もしくは、変更点を変更する（Ｓｔｅｐ４５）だけで済むようになる。
【００２６】
これにより、個人情報ＫＤの登録が容易且つ省力化される。この時に、当該個人１の十分な情報を得ることが、個人の趣味や傾向や趣向や性格を知る上で重要となる。そこで、前述したように本発明の関係者が技術提示した特許出願２０００−３６５８３５号公報の広域不特定多数の個人認識技術を利用すれば良い。この広域不特定多数の個人認識技術は、他拠点に設置された撮像カメラより、個人の顔などを用いて個人認識を行ない、個人の行動を常時把握し、個人情報ＫＤＡＬＬを自動的に作成して行くものである。
【００２７】
また、カード決済などのネットワーク決済によるデータで個人の行動履歴を把握することも可能である。この技術は、日本国公開特許公報２０００−２９３５０６号公報や同２９３５４０号公報に技術公開されている。この技術は、ネットワー接続機器を使用した場所、何に使用したか（例えば、何を購入したか、どんな店で食事をしたか、どこのどのクラスのホテルに宿泊したかなどのデータ）の事例データを蓄積して個人の能動的な行動情報の一面を個人情報データとして蓄積するものである。これを用いたフローチャート図が図３の場合である。
【００２８】
このような個人情報ＫＤＡＬＬなどを基に、無精者でおっくうがり屋で面倒くさがりな性格を持つ個人１でも簡単に個人情報の登録が可能である。さらには、この個人情報により、本人がサーバーコンピュータ（別な第三者）より、どのように認識されているのかということも、認識できるという特徴がある。この個人情報ＫＤＡＬＬを好まない場合は、別のデータをインプットして変更するか、普段の生活を個人１が希望するタイプの個人になるように変更しても良い。
【００２９】
【発明の効果】
本システムを利用することで、無精者で何事にも消極的な個人でも、ネットワークを利用した行動履歴を用いることで、あるいは、本発明の関係者が技術提示した広域個人情報を利用することで、おおよその個人情報を自動的に作成することが可能となるために、いちいち趣味や趣向、性格、好きなもの、嫌いなものなどの詳細な個人情報をインプット登録する手間を省略することが可能となり、容易に気ままに好き勝手に会話や情報交換をすることが可能となる。
【００３０】
さらには、会話や情報交換の時間帯域を設定できるので、自分からアプローチしなくとも、サーバーコンピュータ側から自動的に接続してくれるし、時間がくれば自動的に切断してくれるので、時間の管理が無精者でも容易になる。
【００３１】
このように、自由に設定した時間帯域中で自由勝手に、発言や意見や非難などを行なえるので、大きな満足感を得ることができて、ストレス解消という副次的な効果も発揮でき、日々の生活を充実したものとすることが可能となる。
【００３２】
また、会話や情報交換の記録データが全て、ある期間にわたって保存されているので、これをプリントアウトして、確認することも可能となる。
【図面の簡単な説明】
【図１】本発明の好適な一例の構成を示す概略構成図である。
【図２】加入者個人１が本システムを利用する場合のフローチャート図である。
【図３】個人１が、システムへの加入申請と個人情報登録する場合の自動個人情報登録方法を使用した場合のフローチャート図である。
【図４】個人１が、システムへの加入申請と個人情報登録をするにあたって、システムの運営者が広域不特定個人認識方法を用いた場合のフローチャート図である。
【図５】自動個人情報登録を用いず、個人情報を個人１がインプットする場合のフローチャート図である。
【符号の説明】
１  個人（加入者、加入者個人、会話発信者など）
１′  相手加入者（１と会話や情報交換を行なう相手加入者、もしくは、複数の相手加入者群）
１′ｎ  システムへの加入登録者群
２  ネットワーク通信網
３  本発明のシステム全体
４  サーバーコンピュータ
２１  有線（電話線、光ファイバー線など）のネットワーク通信線
２２  無線（携帯電話回線など）のネットワーク通信線
２００、２００ｎ  携帯電話
１００  本システム
１０１  システムの運営者もしくは運営法人
ＫＤ  正規の個人情報
ＫＢＤ  別名の個人情報
ＫＤＡＬＬ  広域不特定個人認識方法により入手したシステム運営者が保有する個人情報
【図１】
2004318584.tif 000003
【図２】
2004318584.tif 000004
【図３】
2004318584.tif 000005
【図４】
2004318584.tif 000006
【図５】
2004318584.tif 000007